(57)【特許請求の範囲】
【請求項１】
灯体本体と、灯体本体の上部側に設けられた側方へ向けて光を出射可能とする出射窓とを有する灯体と；
灯体内に配置される光源と；
光源からの光を入射する入射面と、入射面から入射した光を全反射させる反射面と、反射面で反射した光を出射窓から出射する出射面とを有し、灯体の出射窓の内側に配置されるプリズムと；
プリズムの入射面と出射面以外であって、少なくともプリズムの反射面を含むプリズムの周囲を覆う保護面を有し、この保護面は少なくとも前記反射面と対向する表面に、反射面と接触する領域よりも接触しない領域が全般的に多くなるような凹凸部が形成されており、プリズムと灯体との間に配置されたパッキングと；
を具備していることを特徴とする埋込形標識灯。
【発明の詳細な説明】
【技術分野】
【０００１】
本発明は、路面に埋め込み設置される埋込形標識灯に関する。
【背景技術】
【０００２】
従来、例えば、空港の滑走路や誘導路の路面に、航空機を誘導するための航空標識灯などの埋込形標識灯が埋め込み設置されている。この埋込形標識灯は、灯体上部が路面から少し突出した状態に設置され、その灯体上部に側方へ向けて形成された出射窓から光を出射し、航空機を操縦するパイロットから視認できるようにしている。そして、このような埋込形標識灯の各出射窓にはプリズムが配置され、このプリズムの後方に光源部が配置されている（例えば、特許文献１参照。）。
【特許文献１】特開２００４−３６２９７７号公報（第９頁、図３−４）
【発明の開示】
【発明が解決しようとする課題】
【０００３】
このような埋込形標識灯は、一般的に路面から突出する灯体の突出高さが低いものが望まれているが、外形の小形化とともに埋め込み深さの低いものが望まれているため、従来構成のままであると突出高さを低くするには困難であった。
【０００４】
そこで、本件発明者は、突出高さを低くしつつ、小形化が可能であり、さらに埋め込み深さも低くなる構成として全反射のプリズムを用い、光源、前記プリズム及び出射窓を略Ｌ字状に配置する構成を見出した。
【０００５】
そして、前記L字状の構成を具体的に実施するにあたり、前記プリズムは、屋外で使用される灯体に配設されるものであるため、外部からの衝撃に対して緩衝材となるとともに、液密状態を実現するためのパッキングを設ける必要があることが分かったが、単にパッキングをプリズムに配設すると、プリズムの反射面の全反射特性を損ねてしまうという問題があった。
【０００６】
すなわち、パッキングのプリズムの反射面と対向する表面が例えば黒色の滑面であると、灯体とプリズムとの間にパッキングを配設した状態において、前記滑面がプリズムの反射面と密着した状態になった場合には、滑面の黒色側に光源からの光が吸収されてしまうので、プリズムの全反射の特性が大きく損なわれてしまうというものである。
【０００７】
本発明は、上記の点に鑑みなされたもので、液密が要求される灯体に全反射特性を有するプリズムを好適に用いることができる埋込形標識灯を提供することを目的とする。
【課題を解決するための手段】
【０００８】
請求項１記載の埋込形標識灯は、灯体本体と、灯体本体の上部側に設けられた側方へ向けて光を出射可能とする出射窓とを有する灯体と；灯体内に配置される光源と；光源からの光を入射する入射面と、入射面から入射した光を全反射させる反射面と、反射面で反射した光を出射窓から出射する出射面とを有し、灯体の出射窓の内側に配置されるプリズムと；プリズムの入射面と出射面以外であって、少なくともプリズムの反射面を含むプリズムの周囲を覆う保護面を有し、この保護面は少なくとも前記反射面と対向する表面に、反射面と接触する領域よりも接触しない領域が全般的に多くなるような凹凸部が形成されており、プリズムと灯体との間に配置されたパッキングと；を具備していることを特徴とする。
【０００９】
埋込形標識灯は、例えば、空港の滑走路や誘導路などの路面に埋め込み設置される航空標識灯があるが、これに限らず、道路など路面に埋め込み設置される道路標識灯でもよい。
【００１０】
出射窓は、一方向のみならず、複数の方向に設けられるものであってもよい。また、光源は、例えば、他の光源に比べて小形である発光ダイオードが好ましいが、発光ダイオードに限定されるものではない。
【００１１】
プリズムは、パッキングを介して出射窓に液密に取り付けられるが、プリズム及び光源の配設構成において好適であるのは、光源からの光が入射する入射方向と全反射した光が出射窓から出射する出射方向とが略Ｌ字状となる関係を有するように構成するものである。これにより、光源、プリズム及び出射窓の光学系要素が小さくなるので、省スペースの灯体であっても光学系を配設しやくなるとともに、地面からの突出高さを低くすることも可能となる。
【００１２】
なお「全反射」とは、光源からの光を全て反射することのみを意味するのではなく、所望の配光特性を満たすための光がプリズムの出射光から得られる状態であればよく、要するに光源からの光の多くをプリズムから出射することができるものであればよい。
【００１３】
また、パッキングの保護面における凹凸部の程度は、所望の配光特性に応じて形成するものであるので、適宜設計により大きさやピッチ等を設定するものである。なお、保護面における凹凸部の程度は、滑面に近くなるような非常に微細な構成は好適ではない。
【００１４】
なお、前記凹凸の程度によってプリズムからの出射光の程度を調整することもできるので、この凹凸を調整することにより幾つかの出射光のパターンを容易に得ることができるという作用も有する。
【発明の効果】
【００１５】
請求項１記載の埋込形標識灯によれば、全反射特性を有するプリズムの反射面にパッキングの保護面を設けたとしてもこの保護面には凹凸部が形成されているので、液密状態を損なうことはないとともに、全反射特性を大きく損なうことはないので、不具合を生じることがなく所望の配光特性が得やすくなる埋込形標識灯を提供することができる。
【発明を実施するための最良の形態】
【００１６】
以下、本発明の一実施の形態を、図面を参照して説明する。図１および図２に第１の実施の形態を示し、図１は埋込形標識灯の平面図、図２は埋込形標識灯の断面図、図３は埋込標識灯のプリズム部分と要部を示す説明図である。
【００１７】
埋込形標識灯11は、例えば、空港の滑走路や誘導路などの路面12に埋め込み設置される航空標識灯であり、路面12に埋め込み設置される図示しない基台と、この基台の上部に取り付けられるアダプタリング13と、このアダプタリング13の上部に着脱可能に取り付けられる灯体14とを備えている。
【００１８】
アダプタリング13には、底部18およびこの底部18の外周部から立設された円筒状の周壁部19が形成され、これら底部18および周壁部19によって灯体14を収納する収納部20が上方に開口形成されている。底部18の周縁部には下部基台に図示しないボルトで取り付けるための複数の取付孔21および灯体14を取り付けるための図示しないボルトが下方から挿通されて突出する複数の挿通孔22がそれぞれ形成され、底部18の中央には下部基台内に連通する開口部23が形成されている。下部基台には、灯体14に電源を供給するケーブルが配線されている。そして、アダプタリング13の周壁部19の上端が路面12と略一致する高さに埋め込み設置されている。
【００１９】
また、灯体14は、円盤状の灯体本体26を有し、この灯体本体26の外周部近傍に複数の凹部27および各凹部27の底部に取付孔28が形成されている。そして、灯体本体26がパッキング29を介してアダプタリング13の収納部20に嵌め込まれ、アダプタリング13側から突出する各ボルトが各取付孔28から上方に突出し、これらボルトに図示しないナットを螺合して締め付けることにより、灯体14がアダプタリング13に液密に固定されている。そして、灯体14の上面は、外周部よりも中央部が上方に少し突出する凸形状で、アダプタリング13に取り付けられた灯体14の上面の外周部はアダプタリング13の周壁部19の上端部つまり路面12と略同じ高さに配置されるとともに、灯体14の上面の中央部はアダプタリング13の周壁部19の上端部および路面12よりも少し上方に突出して配置される。
【００２０】
灯体本体26の上部側には、互いに正反対となる逆向きでそれぞれ側方へ向けて光を出射
可能とする２つの出射窓31、および各出射窓31から灯体本体26の外周部へ向けて設けられた出射溝32が形成されている。
【００２１】
灯体14内には、各出射窓31に対応して、光源としての発光ダイオード36、およびこの発光ダイオード36の光の配光を制御するレンズ38、このレンズ38で配光が制御された光を出射窓31から出射するプリズム39とがそれぞれ配置されている。
【００２２】
プリズム39は、図２に示したように出射窓31の内側からパッキング50を介して液密に嵌め込まれ、この状態で灯体本体26の下面に取り付けられる押え板40によって保持されている。
【００２３】
そして、図３の（ａ）に示したように、プリズム39には、レンズ38から光を入射する入射面41、入射した光を反射させる反射面42、および反射した光を出射窓31から出射させる出射面43が形成されている。そして、レンズ38からの光がプリズム39の反射面42によって略全反射するようにプリズム39の反射面42が形成および配置されている。すなわち、プリズム39の下方にレンズ38が対向配置され、このレンズ38からプリズム39に光が入射する入射方向と反射面42で反射した光が出射窓31から出射する出射方向ａとが略Ｌ字状となる関係に配置されている。
【００２４】
また、パッキング50は、プリズム39の入射面41と出射面43以外のプリズム39の周囲を保護面51が覆うように構成されている。そして、この保護面51のうち、少なくともプリズム39の反射面42に対向する部分については、図３の（ａ）の領域Ａの拡大図である図３の（ｂ）に示したように反射面42の界面42aに一部分が接触する凹凸部53が複数形成されている。そして、反射面42の界面42aと凹凸部53とは、界面42aの凹凸部53と接触する領域42bよりも凹凸部と接触しない領域42cの方が全般的に多くなるように構成されているものである。
【００２５】
そして、このように構成された埋込形標識灯11では、発光ダイオード36の点灯により、この発光ダイオード36の光をレンズ38に入射し、このレンズ38で配光が制御されて出射する光をプリズム39の入射面41から入射し、このプリズム39に入射した光を反射面42で全反射するとともに出射面43から出射し、つまり出射窓31から出射溝32を通じて光を側方へ出射する。
【００２６】
このとき、プリズム39は、液密を保つようにパッキング50によって略周囲が覆われているが、反射面42と対向する保護面51については、反射面42の界面42aに一部分が接触する凹凸部53が複数形成されているため、反射面42の全反射特性を大きく損なうことがないので、液密状態が要望される埋込形標識灯11であっても全反射特性を有するプリズム39を有効に用いることができる。
【００２７】
また、反射面42の界面42aと凹凸部53とは、界面42aの凹凸部53と接触する領域42bよりも凹凸部と接触しない領域42cの方が全般的に多くなるように構成されているものであるため、例えばパッキング50が黒色であったとしても黒色側に吸収される光は最小限に抑えることができ、所望の配光特性が得やすいものとなる。
【００２８】
また、パッキング50の凹凸部53によって、プリズム39とパッキング50との間には微小な隙間をあえて形成することにより、埋込形標識灯11が外部からの衝撃を受けた際のプリズム39への衝撃を前記凹凸部53と隙間とによって緩和することができるので、パッキング50のプリズム39に対する緩衝作用を高めることができる。なお、この作用は、パッキング50のプリズム39を覆う全ての保護面51に凹凸部53を設けることでより効果を増すものである。
【図面の簡単な説明】
【００２９】
【図１】本発明の第１の実施の形態を示す埋込形標識灯の平面図
【図２】同上埋込形標識灯の断面図
【図３】同上埋込形標識灯の要部を示す説明図
【符号の説明】
【００３０】
１１…埋込形標識灯、１４…灯体、３６…光源である発光ダイオード、３９…プリズム、５０…パッキング
【図１】
0004919074.tif 000002
【図２】
0004919074.tif 000003
【図３】
0004919074.tif 000004